(57)【要約】【課題】屋上緑化用トレイの取付作業中、作業後においてボルトが屋上緑化用トレイの上面よりも突き出ることがない屋上緑化用トレイ取付構造を提供する【解決手段】連設具２０の台座部２１が折板屋根１の山部２に装着固定され、台座部２１より上方に突出したボルト部２２には長ナット２３の下部が螺着され、長ナット２３に対して、複数の屋上緑化用トレイ１０が、側方よりボルト嵌挿用切欠部１１ｃを外嵌するように配され、トレイ押さえ板２４を介して、押圧ボルト２５が長ナット２３の上部に螺着されて、複数の屋上緑化用トレイ１を押圧固定する構造としている。【選択図】図１
2011007003.tif 000002
【特許請求の範囲】
【請求項１】
折板屋根の山部に載せ置いた相互に隣接する複数の屋上緑化用トレイを、相互に突き合わされた側端部同士を上記折板屋根の山部に装着された連設具を介して固定して、連設するようにした屋上緑化用トレイ取付構造において、
上記連設具は、ボルト部が上方に突設された台座部と、押圧ボルトと、該押圧ボルトが挿通され、上記隣接する複数の屋上緑化用トレイを上方より押さえるトレイ押さえ板と、一端で上記ボルト部と螺合し、他端で上記押圧ボルトと螺合する構造とした長ナットとを備えるとともに、
上記屋上緑化用トレイは、側端部に、内側に凹んだボルト嵌挿用切欠部が複数形成され、さらに該ボルト嵌挿用切欠部の下方に、上記連設具の台座部が配される台座部収容空所を有した構造とされ、
上記連設具の台座部が上記折板屋根の山部に装着固定され、該台座部より上方に突出したボルト部には上記長ナットの下部が螺着され、該長ナットに対して、上記複数の屋上緑化用トレイが、側方よりボルト嵌挿用切欠部を外嵌するように配され、上記トレイ押さえ板を介して、上記押圧ボルトが上記長ナットの上部に螺着されて、上記複数の屋上緑化用トレイを押圧固定する構造としたことを特徴とする屋上緑化用トレイ取付構造。
【請求項２】
請求項１において、
上記連設具の台座部は、上板と両脚片とを備えて断面略倒コ字形状とされ、
上記屋上緑化用トレイは、略方形に形成されたトレイパンと、略方形に形成されたトレイ支持枠部とを上下に一体成形して、上記側端部では、上記トレイパンを上記トレイ支持枠部よりも突出させて、該突出部の下方に上記台座部収容空所が配される構造とされ、上記突出部が上記台座部の上板に載置される構成としている屋上緑化用トレイ取付構造。
【発明の詳細な説明】
【技術分野】
【０００１】
本発明は、折板屋根の山部に載せ置いた相互に隣接する複数の屋上緑化用トレイを、相互に突き合わされた側端部同士を折板屋根の山部に装着された連設具を介して固定して、連設するようにした屋上緑化用トレイ取付構造に関する。
【背景技術】
【０００２】
近年、ヒートアイランド対策をはじめとする都市環境の改善のために、建築物の屋上に植栽を行う屋上緑化技術が提案されているが、その中でも最近では、山部および谷部を連続形成した折板屋根の上面に、取付用台座を介して屋上緑化用トレイを取り付けるようにした屋上緑化用トレイ取付構造が提案されている（例えば、特許文献１参照）。
【０００３】
具体的には、従来の折板屋根の屋上緑化用トレイ取付構造は、折板屋根の互いに隣り合う山部に方形状の屋上緑化用トレイを架設して、ボルト部が上方に突き出た台座部と、そのボルト部と螺合するナットとを用いて、隣接する屋上緑化用トレイの突合せ側端部を固定して連設するものである。
【先行技術文献】
【特許文献】
【０００４】
【特許文献１】特開２００５−３１５０４６号公報
【発明の概要】
【発明が解決しようとする課題】
【０００５】
しかしながら、従来の屋上緑化用トレイ取付構造には、以下の問題があった。
【０００６】
すなわち、複数の屋上緑化用トレイを台座部から突設されたボルトを用いて連設するものであるから、作業中においては、ボルトの軸部先端が屋上緑化用トレイ間の継ぎ目より上方に突き出た状態となり、作業中に衣服等がボルトの先端に引っ掛かる等の危険性があったし、ナット止めした後においても、ボルトの長さ寸法がトレイの高さ寸法よりも大きすぎる場合には、ボルトの軸部先端がナットよりも大きく突き出て見映えが悪くなることもあった。
【０００７】
また、従来のものは屋上緑化用トレイの上面側でナット止めする構造であるため、高さの種々異なる屋上緑化用トレイに対応して、それに応じた適切な長さのボルト部を使用する必要があったが、通例では台座とボルト部が一体となった連設具を使用するため、屋上緑化用トレイの寸法に合わせてボルト寸法の異なる台座を用意しなければならず、作業効率および連設具の生産効率がきわめて悪くなっていた。
【０００８】
本発明は、このような事情を考慮して提案されたもので、その目的は、屋上緑化用トレイの取付作業中、作業後においてボルトが屋上緑化用トレイの上面よりも突き出ることがない屋上緑化用トレイ取付構造を提供することにある。また、種々の高さ寸法の屋上緑化用トレイに対して同長のボルトで対応できるようにすることも本発明の目的とされる。
【課題を解決するための手段】
【０００９】
上記目的を達成するために、請求項１に記載の屋上緑化用トレイ取付構造は、折板屋根の山部に載せ置いた相互に隣接する複数の屋上緑化用トレイを、相互に突き合わされた側端部同士を上記折板屋根の山部に装着された連設具を介して固定して、連設するようにした屋上緑化用トレイ取付構造において、連設具は、ボルト部が上方に突設された台座部と、押圧ボルトと、該押圧ボルトが挿通され、隣接する複数の屋上緑化用トレイを上方より押さえるトレイ押さえ板と、一端でボルト部と螺合し、他端で押圧ボルトと螺合する構造とした長ナットとを備えるとともに、屋上緑化用トレイは、側端部に、内側に凹んだボルト嵌挿用切欠部が複数形成され、さらに該ボルト嵌挿用切欠部の下方に、連設具の台座部が配される台座部収容空所を有した構造とされ、連設具の台座部が折板屋根の山部に装着固定され、該台座部より上方に突出したボルト部には長ナットの下部が螺着され、該長ナットに対して、複数の屋上緑化用トレイが、側方よりボルト嵌挿用切欠部を外嵌するように配され、トレイ押さえ板を介して、押圧ボルトが長ナットの上部に螺着されて、複数の屋上緑化用トレイを押圧固定する構造としたことを特徴とする。
【００１０】
請求項２に記載の屋上緑化用トレイ取付構造は、連設具の台座部は、上板と両脚片とを備えて断面略倒コ字形状とされ、屋上緑化用トレイは、略方形に形成されたトレイパンと、略方形に形成されたトレイ支持枠部とを上下に一体成形して、側端部では、トレイパンをトレイ支持枠部よりも突出させて、該突出部の下方に台座部収容空所が配される構造とされ、突出部が台座部の上板に載置される構成としている。
【発明の効果】
【００１１】
請求項１に記載の屋上緑化用トレイ取付構造によれば、相互に隣接する屋上緑化用トレイを連設する連設具が、一端で台座部のボルト部と螺合し、他端で押圧ボルトと螺合する構造とした長ナットを備えた構成であるため、台座部のボルト部が屋上緑化用トレイの上面側に突き出ることなく、隣接する屋上緑化用トレイを固定させることができる。したがって、作業中の安全を確保でき、施工後の美観も確保できる。
【００１２】
また、連設具の長ナットは、その両端にボルトが螺合することから、ボルトの延長部材として位置付けられる。そのため、種々の長さの長ナットを用意することで、ボルト部、台座部、押圧ボルトの仕様を変更することなく、種々の高さ寸法の屋上緑化用トレイに使用することができる。
【００１３】
請求項２に記載の屋上緑化用トレイ取付構造によれば、断面略倒コ字形状とされる台座部を、トレイパンの側端部の下方に形成された台座部収容空所に収容する構成となっているため、連設具が屋上緑化用トレイ連設のじゃまにならず、トレイパンの側端の突出部を台座部の上板で支持するようにすることで、屋上緑化用トレイ間をよりしっかりと固定することができる。
【図面の簡単な説明】
【００１４】
【図１】本発明の屋上緑化用トレイ取付構造の一実施形態を示した斜視図である。
【図２】（ａ）〜（ｃ）は同実施形態で使用される屋上緑化用トレイの平面図、正面図、側面図である。
【図３】同屋上緑化用トレイの裏面斜視図である。
【図４】連設施工途中における同屋上緑化用トレイの概略平面図である。
【図５】連設作業後における同屋上緑化用トレイの概略平面図である。
【図６】同実施形態で使用される連設具の台座部の取付構造を示す分解斜視図である。
【図７】同連設具の取付前の状態を示した、図１における矢印Ａ方向の要部一部断面矢視図である。
【図８】同屋上緑化用トレイの取付状態を示した、図１における矢印Ａ方向の要部一部断面矢視図である。
【図９】同屋上緑化用トレイの取付状態を示した、図１における矢印Ｂ方向の要部一部断面矢視図である。
【図１０】本発明の屋上緑化用トレイ取付構造の他の実施形態を示した、図１における矢印Ｂ方向の一部断面矢視図である。
【発明を実施するための形態】
【００１５】
以下に、本発明の実施の形態について、添付図面を参照しながら説明する。
【００１６】
図１は、本発明の屋上緑化用トレイ取付構造の一実施形態を示した斜視図である。図２（ａ）〜（ｃ）は、同実施形態で使用される屋上緑化用トレイの平面図、正面図、側面図である。図３は、同屋上緑化用トレイの裏面斜視図である。
【００１７】
また、図４は連設施工途中における同屋上緑化用トレイの概略平面図、図５は連設作業後における同屋上緑化用トレイの概略平面図である。
【００１８】
この屋上緑化用トレイ取付構造は、折板屋根１の上面に、連設具２０を介して複数の屋上緑化用トレイ１０を並設するためのものである。また、この折板屋根１は、山部２と谷部３が交互に連続する屋根であって、複数の折板屋根材を側端部の山部２でハゼ接合してなるものである。屋上緑化用トレイ１０は、このハゼ部２ａに直接載置される。
【００１９】
屋上緑化用トレイ１０は、略方形に形成された、植栽を行うためのトレイパン１１と、略方形に形成された支持部としてのトレイ支持枠部１２とを上下に一体成形してなる。トレイパン１１は、外周壁１１ａと、多数の水抜き孔１１ｃが形成された底部１１ｂを備え、一方、トレイ支持枠部１２は、上記底部１１ｂの外周より下方に延びた外周支持壁１２ａと、長手方向の中央で短手方向に架け渡された橋架支持壁１２ｂとを備えている。
【００２０】
トレイパン１１とトレイ支持枠部１２とは長手方向を略同寸法とし、一方、短手方向はトレイパン１１がトレイ支持枠部１２よりもやや長く形成され、短手方向の（長辺側の）両側端１０ａでは、トレイパン１１がトレイ支持枠部１２よりも横方向に突出している。この突出部１１ｅの下方には、屋上緑化用トレイ１０を連設するための連設具２０の台座部２１を収容する台座部収容空所１３が形成されている。
【００２１】
屋上緑化用トレイ１０には、このような台座部収容空所１３が形成されているので、複数の屋上緑化用トレイ１０を連設するうえで連設具２０の台座部２１がじゃまになることがなく、平面視で、屋上緑化用トレイ１０間にほとんど隙間のない状態で屋上緑化用トレイ１０を並べることができる（図４および図５参照）。
【００２２】
また、短手方向の両側端１０ａには、内側に凹んだボルト嵌挿用切欠部１１ｄが複数形成されている。このボルト嵌挿用切欠部１１ｄは、屋上緑化用トレイ１０を短手方向の両側端１０ａ同士で突き合わせることで連成して、連設具２０の構成部材である長ナット２３を上下に配するためのボルト嵌挿空間１４が形成される。
【００２３】
一方、連設具２０は、ボルト部２２が上方に突設された台座部２１と、押圧ボルト２５と、山座金２６と、押圧ボルト２５が挿通される挿通孔２４ａを有した、短手方向に隣り合う２つの屋上緑化用トレイ１０を上方より押さえるためのトレイ押さえ板２４と、一端（下部）で台座部２１のボルト部２２と螺合し、他端（上部）で押圧ボルト２５と螺合する構造とした長ナット２３とを備えている。なお、作業効率上、ボルト部２２を台座部２１に固着させておくことが望ましいが、着脱自在としてもよく、その場合には、台座部２１より突出された状態で長ナット２３を螺着させておくほうが作業を効率的に行える。
【００２４】
図４および図５に示すように、連設具２０の長ナット２３は、台座部２１のボルト部２２および押圧ボルト２５が上下より螺合した状態で、複数の屋上緑化用トレイ１０のボルト嵌挿用切欠部１１ｄが集合してできるボルト嵌挿空間１４に配される。
【００２５】
なお、ボルト嵌挿空間１４は、屋上緑化用トレイ１０の角部のボルト嵌挿用切欠部１１ｄが４つ集合することでも形成され、そのボルト嵌挿空間１４にも同様に連設具２０の長ナット２３が配される。
【００２６】
このような長ナット２３は、ボルト孔２３ａの両端に上記２種のボルト（ボルト部２２と押圧ボルト２５）を螺合させるために、ボルト孔２３ａの少なくとも両端部には上記２種のボルトに合致したネジ溝が切られている。なお、同径で、かつネジ溝が同ピッチのボルト部２２および押圧ボルト２５に対応した、ボルト孔２３ａの全長にわたって同ピッチのネジ溝が切られている長ナット２３を使用することが望ましい。
【００２７】
また、トレイ押さえ板２４は、連設される２枚または４枚の屋上緑化用トレイ１０を、上面を同一高さにして、上方より均等に押さえられるように、円形等の点対称または線対称形状とすることが望ましい。本実施形態では、原材料の削減のために、４枚の花弁片を有した花冠形状のものを使用している。
【００２８】
連設具２０は、台座部２１が折板屋根１の山部２に形成されたハゼ部２ａに装着固定され、台座部２１より上方に突出したボルト部２２には長ナット２３の下部が螺着され、その長ナット２３は、複数の屋上緑化用トレイ１０のボルト嵌挿用切欠部１１ｄによって形成されるボルト嵌挿空間１４に嵌挿され、さらにトレイ押さえ板２４と山座金２６を介して、押圧ボルト２５が長ナット２３の上部に螺着されて、隣り合う複数の屋上緑化用トレイ１０を同時に上方より押圧固定する構造となっている。
【００２９】
このように、連設具２０は長ナット２３を含んだ構成であり、長ナット２３に上下より別々のボルト（一方はボルト部２２、他方は押圧ボルト２５）を螺合させて、隣り合う屋上緑化用トレイ１０を固定する構造となっているため、施工後には屋上緑化用トレイ１０の上面側に押圧ボルト２５の頭部が突出するだけで、台座部２１より突出したボルト部２２の軸部先端が屋上緑化用トレイ１０の上面側に突き出ることはない。また、ボルト部２２が突き出ないので、作業中の安全を確保でき、施工後においても美観を確保できる。
【００３０】
以下には、本発明の要部の詳細構造について説明する。
【００３１】
図６は、連設具２０の台座部２１の折板屋根１への取付構造を示す斜視図である。図７は、連設具２０の取付前の状態を示した、図１における矢印Ａ方向の要部一部断面矢視図である。図８は、屋上緑化用トレイ１０の取付状態を示した、図１における矢印Ａ方向の要部一部断面矢視図である。図９は、屋上緑化用トレイ１０の取付状態を示した、図１における矢印Ｂ方向の要部一部断面矢視図である。
【００３２】
連設具２０の台座部２１は、ボルト部２２が突設した上板２１ａと、その両端から下方に延びる両脚片２１ｂと、両脚片２１ｂのそれぞれの下端から対向するように折曲延設された両内向鍔片２１ｃとをすくなくとも備えてなり、両脚片２１ｂを緊締して、両内向鍔片２１ｃを相互に近接させて、ハゼ部２ａに挟着させる構造となっている。また両脚片２１ｂの緊締は、対向する両脚片２１ｂに開設された軸孔２１ｂａに貫通された緊締用ボルト２１ｄと、緊締用ナット２１ｅとの螺合によってなされる。図中の２１ｃａは、内向鍔片２１ｃの強度を上げるためのリブである。
【００３３】
このようにして山部２に装着された連設具２０の台座部２１に対して、屋上緑化用トレイ１０の短手方向の側端１０ａに形成された台座部収容空所１３に台座部２１が収容され、かつ台座部２１より突出したボルト部２２がトレイパン１１の側端に形成されたボルト嵌挿用切欠部１１ｄに配されるように、屋上緑化用トレイ１０は屋根上に載置される。
【００３４】
連設具２０の長ナット２３、トレイ押さえ板２４および押圧ボルト２５は、以上のようにして折板屋根１の山部２に取り付けた台座部２１のボルト部２２に対して装着できるようになっている。
【００３５】
すなわち、連設具２０による取付構造は、図７および図８に示すように、台座部２１より上方に突出したボルト部２２には長ナット２３の下部が螺着され、その長ナット２３に対して、複数の屋上緑化用トレイ１０が、側方よりボルト嵌挿用切欠部１１ｄを外嵌するように配され、さらにトレイ押さえ板２４と山座金２６を介して、押圧ボルト２５が長ナット２３の上部に螺着されて、複数の屋上緑化用トレイ１０を押圧して固定する構造となっている。
【００３６】
なお、施工手順としては、ボルト部２２に長ナット２３を螺合させた状態の連設具２０の台座部２１をハゼ部２ａに装着させておき、その後、複数の屋上緑化用トレイ１０を台座部２１との位置合わせをしながら設置することが望ましい。
【００３７】
また、押圧ボルト２５とトレイ押さえ板２４で屋上緑化用トレイ１０を確実に押圧することができるように、長ナット２３は、台座部２１のボルト部２２に螺着した状態では、折板屋根１のハゼ部２ａに載せ置いた屋上緑化用トレイ１０の上端よりも低い位置に配される程度の長さとし、かつ、押圧ボルト２５は、トレイ押さえ板２４と山座金２６を介して長ナット２３の上部に螺合できる程度の長さとすることが望ましい。
【００３８】
長ナット２３は、その両端に２つのボルトが螺合することから、ボルトの延長部材として位置付けられ、そのため、使用する屋上緑化用トレイ１０の高さに合わせて適切な長さのものを選択的に使用することができる。
【００３９】
したがって、以上に示した連設具２０の構成によれば、種々の長さの長ナット２３を用意することで、ボルト部２２、押圧ボルト２５の仕様を変更することなく、種々の高さの屋上緑化用トレイ１０に使用することができる。
【００４０】
また、本実施形態では、台座部２１の上板２１ａの上面と、トレイパン１１の突出部１１ｅの下面との間に隙間Ｓが形成されているが、図１０に示すように、接触させるものでもよい。隙間Ｓをなくせば、突出部１１ｅが台座部２１と押さえ板２４とで挟まれるので、突き合わされた側端部同士においても屋上緑化用トレイを上下からしっかりと固定することができる。なお、図１０は図９と同方向の矢視図である。
【００４１】
以上の実施形態では、折板屋根１の接合が側端部の山部２においてハゼ式接合で行われるものを例示したが、本発明の屋上緑化用トレイ取付構造は、折板屋根１の接合が側端部の山部２において重合接合によってなされるものにも適用できる。
【００４２】
重合接合による折板屋根の場合、その重合接合部は軸部を上方に向けた接合用ボルトによって固定されるが、上記実施形態で使用した連設具２０（図６参照）と同構造のものを使用して、その台座部を接合用ボルトの軸部に装着させることで、上記実施形態と同一の屋上緑化用トレイ取付構造を形成することができる。なお、台座部２１の内向鍔片２１ｃ（図６参照）を接合用ボルトの軸部に確実に挟着させるために、内向鍔片２１ｃの中央部にボルト挟み込み用の切欠きを形成しておくことが望ましい。
【符号の説明】
【００４３】
１      折板屋根
２      山部
２ａ      ハゼ部
３      谷部
１０      屋上緑化用トレイ
１０ａ      短手方向の側端（側端部）
１１      トレイパン
１１ａ      外周壁
１１ｂ      底部
１１ｃ      水抜き孔
１１ｄ      ボルト嵌挿用切欠部
１１ｅ      突出部
１２      トレイ支持枠部
１２ａ      外周支持壁
１２ｂ      橋架支持壁
１３      台座部収容空所
１４      ボルト嵌挿空間
２０      連設具
２１      台座部
２１ａ      上板
２１ｂ      脚片
２１ｂａ      軸孔
２１ｃ      内向鍔片
２１ｃａ      リブ
２１ｄ      緊締用ボルト
２１ｅ      緊締用ナット
２２      ボルト部
２３      長ナット
２３ａ      ボルト孔
２４      トレイ押さえ板
２５      押圧ボルト
２６      山座金
【図１】
2011007003.tif 000003
【図２】
2011007003.tif 000004
【図３】
2011007003.tif 000005
【図４】
2011007003.tif 000006
【図５】
2011007003.tif 000007
【図６】
2011007003.tif 000008
【図７】
2011007003.tif 000009
【図８】
2011007003.tif 000010
【図９】
2011007003.tif 000011
【図１０】
2011007003.tif 000012